(57)【要約】【課題】低温環境下でも液晶の収縮による気泡が発生しないフィルム液晶パネル及びその製造方法を提供する。【解決手段】フィルム液晶パネル１は上下に対向して配置された２枚のフィルム基板２及び３と、２枚のフィルム基板間の外周端部を囲繞して内部に液晶５を封入する封止部材４と、表示領域７に配置された複数の隔壁部材６と、最外部の隔壁部材６ａと封止部材４との間の非表示領域９に配置された高さの低い複数の支柱１１と、液晶５を封入後に支柱１１に上下から接着されて２枚のフィルム基板２及び３に内部方向に形成された凸部１２を形成され、凸部１２による圧縮により液晶５に内圧を発生させ、低温時に液晶パネル内部の液晶容積が減っても液晶パネル内部の圧力が減るだけで負圧になることはなくフィルム基板と液晶の間に空間（気泡）が発生することを防止できる。【選択図】図１
2011008122.tif 000002
【特許請求の範囲】
【請求項１】
対向して配置された２枚のフィルム基板と、
該２枚のフィルム基板の間の外周端部を封止する封止部材と、
該封止部材により封止された前記２枚のフィルム基板間内部に封入された液晶と、
該液晶が封入された前記２枚のフィルム基板間の上下の間隔を一定に維持すると共に前記液晶による表示の１画素領域を区画する複数の隔壁部材と、
該複数の隔壁部材の最外側の前記隔壁部材と前記封止部材との間に配設され前記隔壁部材及び前記封止部材よりも高さの低い複数の支柱と、
該複数の支柱の上下に接着して前記２枚のフィルム基板の間の内側に向かって凸状となる前記２枚のフィルム基板の凸状部と、
を有することを特徴とするフィルム液晶パネル。
【請求項２】
対向して配置された２枚のフィルム基板の間の外周端部を封止部材で封止し、該封止部材で封止した内部に液晶を封入したフィルム液晶パネルの製造方法において、
前記２枚のフィルム基板の内側面に上下で接着し、該２枚のフィルム基板の前記液晶を封入された上下の間隔を一定に維持すると共に、前記液晶による表示の１画素領域を区画する複数の隔壁部材を配置する工程と、
複数の前記隔壁部材の最外側の前記隔壁部材と前記封止部材との間に、前記隔壁部材及び前記封止部材よりも高さの低い複数の支柱を配設する工程と、
前記フィルム液晶パネル内に常温常圧環境下で所定量の液晶を注入して注入口を封止する工程と、
前記２枚のフィルム基板と複数の前記支柱とが当接するよう前記２枚のフィルム基板の外側から圧力をかけ前記２枚のフィルム基板と複数の前記支柱とを接着させて前記所定量の液晶の体積を所定量圧縮する工程と、
を含むことを特徴とするフィルム液晶パネルの製造方法。
【請求項３】
前記支柱は、熱を加えることにより硬化する樹脂体である、ことを特徴とする請求項１記載のフィルム液晶パネルの製造方法。
【請求項４】
前記支柱は、紫外線を照射することにより硬化する樹脂体である、ことを特徴とする請求項１記載のフィルム液晶パネルの製造方法。
【発明の詳細な説明】
【技術分野】
【０００１】
本発明は、フィルム液晶パネル及びその製造方法に係わり、更に詳しくはパネル内部を常に正圧に保つことのできるフィルム液晶パネル及びその製造方法に関する。
【背景技術】
【０００２】
従来、液晶を挟んで２枚の基板が対向して配置される構造の液晶パネルがある。液晶パネルは、近年、各企業や各大学等において電子ペーパーへの利用が考えられ開発が盛んに進められて一部では実現しつつある。
【０００３】
電子ペーパーは、従来、紙印刷物であった書籍や雑誌、新聞などを、電気的に表示書き換え可能な装置によって実現するものであり、薄く、軽く、そして見やすいという紙印刷物の優れた特性を備えるものである。
【０００４】
電子ペーパーが紙印刷物より優れているのは、表示内容の書き換えが可能であるという点にある。このため、電子ペーパーは紙印刷物のように使い捨てられることはないため、紙印刷物の代替として普及した場合、紙資源消費の削減に大きく貢献でき、環境保護の観点からも非常に有用であると考えられる。
【０００５】
このような電子ペーパーとしては、電気泳動方式やツイストボール方式、液晶表示ディスプレイや有機ＥＬ表示ディスプレイなどを利用して、研究・開発が行われている。このような液晶の一つに、コレステリック相が形成された液晶組成物（以下、コレステリック液晶という）を用いた液晶表示素子がある。
【０００６】
コレステリック液晶を用いた液晶表示素子は、カラー表示が可能であるだけでなく、メモリ性があるので、画面を書き換えるとき以外は、液晶に電圧を印加して駆動する必要がなく、消費電力の節減に有効である。
【０００７】
一方、電子ペーパーとしての液晶表示素子には、柔軟性が要求される。したがって、表示面にガラス基板を用いたのでは曲げの外力が加わったりすると表示面が割れてしまうため、電子ペーパーの液晶表示面にはフィルム基板が使用される。
【０００８】
ところで、フィルム液晶パネルに限らず、上下２枚の基板を対向配置してなる液晶パネルは、液晶の表示品質を一定に維持するために、上下２枚の基板の間隔を一定に保つ必要がある。
【０００９】
このような上下２枚の基板の間隔を一定に保つ方法としては、表示品位を確保するとともに各基板間の間隔を安定して均一にすることができる液晶表示装置および液晶表示装置の製造方法が提供されている。
【００１０】
この技術では、第１基板と第２基板との間に複数の周辺スペーサと、１つの中央スペーサとを備え、周辺スペーサは、シール材に混入して設けられ、中央スペーサは、液晶層が収容される収容空間の略中央部に設けられる。
【００１１】
シール材の材料には、周辺スペーサを混ぜ合わせて用いる。そして、第１基板と第２基板を、周辺スペーサ混入のシール材、及び中央スペーサを介して対向配置し厚さ方向に均一に押圧しながら、光又は熱で周辺スペーサ混入のシール材及び中央スペーサを第１基板と第２基板に接着させるというものである（例えば、特許文献１参照）。
【００１２】
また、上下２枚の基板を対向配置してなる液晶パネルは、低温時になるとパネル内部に充填されている液晶の体積が縮小するため、パネル内部が負圧となって空間（気泡）が発生し、この空間（気泡）が液晶の表示品質を落とすという不具合が発生する。
【００１３】
この不具合を解消するために、従来は、予め低温にした液晶を注入することにより、低温時に生じる液晶の体積縮小により気泡が発生するのを防ぐという方法が採用されていた。しかし液晶は低温になると粘度が高くなるため、予め低温にした液晶を注入するには時間がかかって量産には不向きであるという新たな問題が発生した。
【００１４】
また、低温の液晶の注入を時間をかけずに行うには、液晶を高い圧力で注入する方法があるが、この方法を採用するには、高圧で液晶を注入する専用の設備が必要となり、その設備導入のコストがかかって導入が容易でないという問題がある。
【００１５】
このような問題を解決するために、液晶内に気泡が発生しても表示面に欠損を発生させないフィルム液晶装置およびその製造方法が提案されている。この技術では、対向配置された２枚の可撓性の透明基板の外周端部の間をシール部材で塞ぎ、内部に液晶層を封入したフィルム液晶装置において、少なくとも一方の透明基板の表示面の外側には、対向配置された透明基板の間の隙間が外側に向かって徐々に広くなるように形成された傾斜部が設けられている。
【００１６】
これにより、傾斜部の近傍で発生した気泡が、表面張力により球状になろうとして、傾斜部を押圧し、その反力によって気泡が表示面の外側に移動し、液晶内に気泡が発生しても表示面に欠損を発生させないことができるというものである（例えば、特許文献２参照）。
【先行技術文献】
【特許文献】
【００１７】
【特許文献１】特開２００３−２７０６４１号公報
【特許文献２】特開２００５−０３７４６６号公報
【発明の概要】
【発明が解決しようとする課題】
【００１８】
特許文献１の技術は、表示を維持するために電極の駆動を継続して行うタイプの液晶には適切な構成であるといえるが、例えば、コレステリック相が形成された液晶組成物から成るいわゆるコレステリック液晶を用いる場合には、適切なスペーサの構成とはいえないという問題がある。
【００１９】
これは、コレステリック液晶は、電極の駆動を止めても液晶のメモリ性によって表示を維持できる代わりに、その表示性が液晶の流動によって変わってしまうため、特許文献１のように、おおまかな配置のスペーサの構成では、画素毎に液晶を位置固定できないため消費電力が少なく経済性の良いコレステリック液晶の表示を維持できないからである。
【００２０】
また、特許文献２の技術は、傾斜部の近傍で発生した気泡を表示面の外側に移動させることができるが、全体表示領域の中央部で発生した気泡は移動するところがない。かりに傾斜部の方向に移動できたとしても時間がかかってしまうため、品質の良い表示の妨げになるという課題がある。
【課題を解決するための手段】
【００２１】
上記の課題を解決するために、本発明のフィルム液晶パネルは、対向して配置された２枚のフィルム基板と、該２枚のフィルム基板の間の外周端部を封止する封止部材と、該封止部材により封止された上記２枚のフィルム基板間内部に封入された液晶と、該液晶が封入された上記２枚のフィルム基板間の上下の間隔を一定に維持すると共に上記液晶による表示の１画素領域を区画する複数の隔壁部材と、該複数の隔壁部材の最外側の上記隔壁部材と上記封止部材との間に配設され上記隔壁部材及び上記封止部材よりも高さの低い複数の支柱と、該複数の支柱の上下に接着して上記２枚のフィルム基板の間の内側に向かって凸状となる上記２枚のフィルム基板の凸状部と、を有するように構成される。
【００２２】
また、上記の課題を解決するために、本発明のフィルム液晶パネルの製造方法は、対向して配置された２枚のフィルム基板の間の外周端部を封止部材で封止し、該封止部材で封止した内部に液晶を封入したフィルム液晶パネルの製造方法において、上記２枚のフィルム基板の内側面に上下で接着し、該２枚のフィルム基板の上記液晶を封入された上下の間隔を一定に維持すると共に、上記液晶による表示の１画素領域を区画する複数の隔壁部材を配置する工程と、複数の上記隔壁部材の最外側の上記隔壁部材と上記封止部材との間に、上記隔壁部材及び上記封止部材よりも高さの低い複数の支柱を配設する工程と、上記フィルム液晶パネル内に常温常圧環境下で所定量の液晶を注入して注入口を封止する工程と、上記２枚のフィルム基板と複数の上記支柱とが当接するよう上記２枚のフィルム基板の外側から圧力をかけ上記２枚のフィルム基板と複数の上記支柱とを接着させて上記所定量の液晶の体積を所定量圧縮する工程と、を含んで構成される。
【００２３】
上記フィルム液晶パネルの製造方法において、上記支柱は、例えば、熱を加えることにより硬化する樹脂体でもよく、また、例えば、紫外線を照射することにより硬化する樹脂体であってもよい。
【発明の効果】
【００２４】
本発明は、液晶パネル内部を常に正圧に保つことのできるフィルム液晶パネル及びその製造方法により、低温環境下でも液晶の収縮による気泡が発生せず高品質の表示状態を維持できるフィルム液晶パネル及びその製造方法を提供することが可能となるという効果を奏する。
【図面の簡単な説明】
【００２５】
【図１】本発明の実施例１に係るフィルム液晶パネルの構造を模式的に示す平面図である。
【図２】本発明の実施例１に係るフィルム液晶パネルの製造方法を工程順に説明する図（その１）である。
【図３】本発明の実施例１に係るフィルム液晶パネルの製造方法を工程順に説明する図（その２）である。
【図４】本発明の実施例１に係るフィルム液晶パネルの製造方法を工程順に説明する図（その３）である。
【図５】本発明の実施例１に係るフィルム液晶パネルの製造方法を工程順に説明する図（その４）である。
【図６】本発明の実施例１に係るフィルム液晶パネルの製造方法を工程順に説明する図（その５）である。
【発明を実施するための形態】
【００２６】
以下、本発明の実施の形態について、詳細に説明する。
【実施例１】
【００２７】
図１は、本発明の実施例１に係るフィルム液晶パネルの構造を模式的に示す平面図である。図１に示すように、フィルム液晶パネル１は、上下に対向して配置された２枚のフィルム基板２及び３と、これら２枚のフィルム基板の間の外周端部を囲繞して封止する封止部材４とを有する。
【００２８】
尚、上下に重なって対向して配置された２枚のフィルム基板２及び３は、フィルム液晶パネル１全体が透明の構造であるため図１の平面図では見分けが付かない。
このフィルム液晶パネル１は、更に、封止部材４により封止された２枚のフィルム基板２及び３間の内部に封入された液晶５と、この液晶５が封入された２枚のフィルム基板２及び３の間に十字形に形成された複数の隔壁部材６を有する。
【００２９】
これら複数の隔壁部材６は、液晶５の表示領域７に配設されている。隔壁部材６は、２枚のフィルム基板２及び３間の上下の間隔を一定に維持すると共に、隣接する他の３個の隔壁部材６の十字形の４本の枝隔壁のうちのそれぞれ２本の枝隔壁と共に、液晶５による表示の１画素の表示領域８を区画している。
【００３０】
この１画素の表示領域８の大きさは、フィルム液晶パネル１の大きさにもよるが、本例の場合は一辺が１６０μｍの四角である。また、隔壁部材６の十字形に形成されて四方に延びだす４本の隔壁枝部の幅は、およそ１５μｍである。
【００３１】
このフィルム液晶パネル１は、更に、上記複数の隔壁部材６の最外側の隔壁部材６ａと封止部材４との間の液晶５の非表示領域９に配設された複数の支柱１１を有する。複数の支柱１１は、紫外線硬化性樹脂からなり、隔壁部材６（６ａ）及び封止部材４よりも、基板２及び３の面に垂直方向の長さを低く形成されている。
【００３２】
そして、このフィルム液晶パネル１の２枚のフィルム基板２及び３には、複数の支柱１１の上下にそれぞれ接着して２枚のフィルム基板２及び３の間の内側に向かって凸状となる凸状部１２を形成されている。
【００３３】
図２乃至図６は、上記フィルム液晶パネル１の製造方法を工程順に説明する図である。尚、図２、図５及び図６の断面の左端部は、図１のＡ−Ａ´断面矢視図を示し、同じく右端部は、図１のＡ−Ａ´断面矢視図の部分に対応する図示を省略した右端側の断面を示している。
【００３４】
また、図３及び図４は、図１のフィルム基板３（以下、上基板３という）の天地を逆にして示しており、それぞれ断面図の右端部が、図１のＡ−Ａ´断面矢視図の部分に対応する。また、図２乃至図６には、図１と同一構成部分には図１と同一の番号を付与して示している。
【００３５】
図２に示すフィルム基板２（以下、下基板２という）は、透明フィルム１３と、この透明フィルム１３の上に積層された透明電極層１４と、その透明電極層１４の上に積層された配向膜１５から成る。
【００３６】
本実施例では、透明フィルム１３は、およそ縦１８０ｍｍ、横１３５ｍｍに切断した厚さは約１２５μｍのポリカーボネイト（ＰＣ）フィルムを用いる。また、ＰＣフィルムに代えて、ポリエチレンテレフタレート（ＰＥＴ）等のフィルムを使用することもできる。これらのフィルムは十分な可撓性を備えている。
【００３７】
尚、通常フィルム液晶パネルのフィルムには、透光性を有するものが用いられるが、下基板２に用いられるフィルム１３には、透光性のもの又は不透光性のもの、いずれを用いてもよい。
【００３８】
透明電極層１４は、透明フィルム１３上にパターニングされた０．１７５ｍｍピッチの１０２４本の帯状の走査電極が並列に配置された電極層である。層の厚さは透明フィルム１３の厚さの略１／１０となる約１３０ｎｍである。
【００３９】
上記の走査電極の形成材料としては、例えばインジューム錫酸化物（ＩＴＯ）が代表的であるが、その他インジューム亜鉛酸化物（ＩＺＯ）等の透明電極膜、アルミニューム又はシリコン等の金属電極、又はアモルファスシリコン等の光導電性膜等を用いることが出来る。
【００４０】
この透明電極層１４の上には、機能膜として液晶分子の配列を制御するための配向膜１５がコーティングされている。配向膜１５は下基板２の透明電極層１４と後述する上基板の透明電極層との短絡を防止する絶縁性薄膜を兼用するようにしてもよい。
【００４１】
この配向膜１５には、ポリイミド樹脂、ポリアミドイミド樹脂、ポリエーテルイミド樹脂、ポリビニルブチラール樹脂及びアクリル樹脂等の有機膜や、酸化シリコン、酸化アルミニューム等の無機材料を用いることができる。この配向膜１５の厚さは約４０ｎｍである。
【００４２】
この下基板２の表面、つまり配向膜１５の上に、隔壁部材６及び封止部材４の母材である光硬化性樹脂膜（ネガ型フォトレジスタ（光の照射を受けた部分が硬化して残るタイプの感光性樹脂）の膜）を５μｍの厚さにスピンコート又はロールコート等で塗布する。
【００４３】
そして、特には図示しないが、光硬化性樹脂膜の上に、マスクを設置する。マスクは、従来のパターニング用のガラスマスクを使用し、図１に示した隔壁部材６及び封止部材４の形状の切り抜き孔を形成する。なお、マスクとして、紫外線を透過させない例えばＴｉ、Ｎｉ、Ｃu又はＡｌ等の金属を用いても良い。
【００４４】
そして、このマスクの上から紫外線照射光源により紫外線を照射する。これにより、マスクの下の光硬化性樹脂膜は、マスクの隔壁部材６及び封止部材４の形状の切り抜き孔にしたがって紫外線を照射され、放射された部分が硬化する。つまり、切り抜き孔の部分（紫外線が照射された部分）のみ硬化し、それ以外の部分（紫外線が照射されなかった部分）は硬化しない。
【００４５】
続いて、マスクを撤去（除去）し、溶剤に浸漬して、紫外線を照射されなかった部分、つまり光硬化性樹脂膜の非硬化部分を除去する。これにより、光硬化性樹脂膜の紫外線を照射され硬化した部分が下基板２の表面に残る。すなわち、図２に示す隔壁部材６及び封止部材４が下基板２上に形成される。
【００４６】
図３は、図２に続くフィルム液晶パネル１の製造工程を説明する図である。尚、図３は図１に示した上基板３を、その天地を逆にして示している。この上基板３も下基板２と同様に、透明フィルム１３と、この透明フィルム１３の上に積層された透明電極層１４と、その透明電極層１４の上に積層された配向膜１５から成る。
【００４７】
これらの構成部分それぞれの材質及び構成は、下基板２の場合とほぼ同様であるが、透明電極層１４における電極の構成及び配列が下基板２の場合と異なる。すなわち、この上基板３では、透明フィルム１３上に、０．１７５ｍｍピッチで、７６０本の帯状のデータ電極がパターニングされている。
【００４８】
これらのデータ電極は、上基板３を図１に示したように下基板２に対向して配設したとき、下基板２の透明電極層１４の１０２４本の帯状の走査電極に直交する向きで並列に配置される。これらデータ電極と走査電極とが交差する領域が、図１に示した１画素の表示領域８に対応している。つまり本例のフィルム液晶パネル１の総画素数は１０２４×７６０＝７７８，２４０個である。
【００４９】
図３に示すように、天地を逆にした上基板３の上、つまりに配向膜１５の面に、マスク１６を用いて、マスク１６に形成されている網目１７から、アクリレート系のＵＶ硬化樹脂１８を塗布する。マスク１６には、スクリーン印刷のスクリーンを用い、網目１７を形成する位置は図１に示した複数の支柱１１に対応する位置である。
【００５０】
尚、図３には、ＵＶ硬化樹脂１８がマスク１６の網目１７を通して配向膜１５の面に塗布される様子を分かり易く示すため、マスク１６を配向膜１５の面から離間した状態で示しているが、実際にはマスク１６は配向膜１５の面に密着している。
【００５１】
このスクリーン印刷で、配向膜１５の面には、隔壁部材６及び封止部材４よりも高さの低い支柱１１が形成される。例えば、隔壁部材６及び封止部材４の高さが４．５μｍとすれば、支柱１１の高さは、４．３μｍ程度となる。なお、支柱１１の高さはマスク１６の厚さである。
【００５２】
図４は、スクリーン印刷により、ＵＶ硬化樹脂１８を用いて上基板３の配向膜１５の面に形成された支柱１１を示す図である。
図５は、支柱１１を配向膜１５の面に形成された図４に示す上基板３を、その天地を逆にして図２に示した下基板２の上に被せて下基板２に対向配置した図である。尚、図５には、図２及び図４に示した構成と同一の構成部分には、図２及び図４と同一の符号を付与して示している。
【００５３】
図５に示す対向配置された下基板２と上基板３の２枚のフィルム基板は、不図示の位置合わせ装置を用いて位置合わせされている。そして、表示領域７の複数の隔壁部材６（図１参照）の中の最外側の隔壁部材６ａと封止部材４との間に複数の支柱１１が上から挿入される形で配置されている。
【００５４】
この状態で、支柱１１は、隔壁部材６（６ａ）及び封止部材４よりも差分ｂだけ高さが低い。この高さが低い分の差分ｂは、隔壁部材６及び封止部材４の高さ４．５μｍから支柱１１の高さ約４．３μｍを差し引いたおよそ０．２μｍである。
【００５５】
図６は、上下２枚のフィルム基板（下基板２、上基板３）に外部から圧力を加えて下基板２の非表示領域９の上面を支柱１１の下端面に接着させる最終工程を示す図である。外部から加える圧力は、高圧空気による圧力又は機械的に加える圧力のいずれでもよい。
【００５６】
図６に示すように、非表示領域９の支柱１１に対応する部分の下基板２及び上基板３は外部から加わる圧力により、支柱１１の高さが低いｂの分だけ上下から押し込まれて凸部１９を形成する。
【００５７】
そして、透明な下基板２の外部下方から行われる光源２０からの紫外線の照射によって支柱１１が硬化し、下基板２と支柱１１の下端面が接着して、下基板２及び上基板３の凸部１９が支柱１１を介して相互に接着される。
【００５８】
尚、光源２０は、支柱１１の素材に熱硬化性樹脂を用いた場合は、近赤外線を照射するハロゲンランプ等で構成する。
このようにして完成したフィルム液晶パネル１において、非表示領域９の複数の支柱１１に対応する部分で、下基板２及び上基板３がそれぞれ内側に例えば０．２μｍ×１／２の距離を押し込まれて形成された凸部１９により、非表示領域９の液晶５は凸部１９によって圧縮され、この圧縮された分、四方に膨張しようとする内圧が発生する。
【００５９】
表示領域７に相互に隣接して配置さている隔壁部材６の十字形の枝隔壁の端部間の間隙は、液晶５の流動性を抑えながらも液晶５の体積的な変動（内圧の変動）は伝達可能に構成されている。したがって、上記の非表示領域９の液晶５に発生した内圧は表示領域７全体に行き渡る。
【００６０】
液晶５全体の内圧による最終的な膨張係数はおよそ３％である。この３％の膨張係数による内圧で、液晶５は常温常圧環境下では常に正圧（加圧状態）となる。勿論表示機能に支障は無い。
【００６１】
このように液晶の入ったフィルム液晶パネルの内圧を高くして常温常圧環境下で液晶パネル内を正圧化しておくので、低温状態で液晶が収縮してもパネル内部が負圧になるのを防ぐことができる。
【００６２】
したがって、低温時に液晶パネル内部の液晶容積が減ったとしても、液晶パネル内部の圧力が減るだけで、液晶パネル内部の圧力が負圧になることはなく、フィルム基板と液晶の間に空間（気泡）が発生することを防止することができる。したがって、気泡によって表示機能が低下することもない。
【００６３】
また、本発明のフィルム液晶パネルの製造方法によれば、常温常圧下で、通常の薄膜形成技術、フォトリソ技術、隔壁（支持部）形成技術等により、フィルム液晶パネルを製造するので、特別に低温化した組立工程を設けたり、低温で粘度の高い液晶を高圧で封入するための高価な圧入装置を設備したりする必要がなく、短時間でかつ安価にフィルム液晶パネルを製造することができる。
【００６４】
なお、本実施例では、上基板３に支柱１１を形成する場合を説明したが、下基板２に支柱１１を形成することでも良く、手順は上基板３の場合と同様である。また、上基板３および下基板２の両方に支柱１１を設けることも可能である。
【産業上の利用可能性】
【００６５】
本発明は、液晶を挟んで２枚のフィルム基板が対向して配置される構造のフィルム液晶パネル及びその製造方法に利用することができる。
【符号の説明】
【００６６】
１  フィルム液晶パネル
２  フィルム基板（下基板）
３  フィルム基板（上基板）
４  封止部材
５  液晶
６  隔壁部材
６ａ  最外側の隔壁部材
７  表示領域
８  １画素の表示領域
９  非表示領域
１１  支柱
１２  凸状部
１３  透明フィルム
１４  透明電極層
１５  配向膜
１６  マスク
１７  網目
１８  ＵＶ硬化樹脂
１９  凸部
２０  光源
【図１】
2011008122.tif 000003
【図２】
2011008122.tif 000004
【図３】
2011008122.tif 000005
【図４】
2011008122.tif 000006
【図５】
2011008122.tif 000007
【図６】
2011008122.tif 000008